(57)【要約】【課題】加熱コイルにより内鍋を誘導加熱するようにした炊飯器において、コンパクトで安価に防磁構成を実現し、製品の省スペース化、コンパクト化を達成する。【解決手段】上面が開口した炊飯器本体１１内に内鍋１０を着脱自在に収納し、炊飯器本体１１内の内鍋１０を収納する保護枠１２の底部に内鍋１０の底面に沿う第１の加熱コイル１３および内鍋１０の側面下部に沿う第２の加熱コイル１４を設置する。インバータ２９より第１および第２の加熱コイル１３，１４に高周波電力を供給して内鍋１０を誘導加熱し、制御手段によりインバータ２９を制御して炊飯時や保温時等の誘導加熱を制御する。第１および第２の加熱コイル１３，１４に対面するように炊飯器本体１１の底面部に非磁性体金属板１６を設置し、非磁性体金属板１６は、端面を第２の加熱コイル１４に沿う形に全周にわたって折り曲げ部２６を有しリング状に形成する。【選択図】図１
2010240051.tif 000002
【特許請求の範囲】
【請求項１】
上面が開口した炊飯器本体と、前記炊飯器本体内に着脱自在に収納される内鍋と、前記炊飯器本体内の前記内鍋を収納する保護枠と、前記保護枠の底部に設置し前記内鍋の底面に沿う第１の加熱コイルおよび前記内鍋の側面下部に沿う第２の加熱コイルと、前記第１および第２の加熱コイルに高周波電力を供給して前記内鍋を誘導加熱するインバータと、前記インバータを制御して炊飯時や保温時等の誘導加熱を制御する制御手段と、誘導加熱時に前記第１および第２の加熱コイルからの漏れ磁界が外部に漏れるのを防ぐ非磁性体金属板とを備え、前記非磁性体金属板は、前記第１および第２の加熱コイルに対面するように前記炊飯器本体の底面部に設置し、端面を前記第２の加熱コイルに沿う形に全周にわたって折り曲げ部を有しリング状に形成した炊飯器。
【請求項２】
非磁性体金属板は、端面を電磁界が強い部分のみ折り曲げる高さを高くした請求項１記載の炊飯器。
【請求項３】
非磁性体金属板は、電磁界の強い部分に別の非磁性体金属板を配置した請求項１または２記載の炊飯器。
【請求項４】
非磁性体金属板は、折り曲げ部に切り欠きを設けた請求項１〜３のいずれか１項に記載の炊飯器。
【請求項５】
非磁性体金属板は、折り曲げていない平面状の底部に切り欠きを設けた請求項１〜３のいずれか１項に記載の炊飯器。
【請求項６】
非磁性体金属板は、炊飯器本体内部に水が入った場合に水がたまらないように水抜き用の穴を設けた請求項１〜３のいずれか１項に記載の炊飯器。
【発明の詳細な説明】
【技術分野】
【０００１】
本発明は、加熱コイルにより内鍋を誘導加熱するようにした炊飯器に関するものである。
【背景技術】
【０００２】
近年、炊飯器において、設置スペースの関係から省スペース化、コンパクト化の要望が高まってきている。
【０００３】
従来、この種の炊飯器は図９に示すように構成していた（例えば、特許文献１参照）。以下、その構成について説明する。
【０００４】
図９に示すように、内鍋１は炊飯器本体２内部の保護枠３の底部に収納されている。加熱コイル４は内鍋１の底部に沿うような形で設け、加熱コイル５は内鍋１の側面下部に沿うような形で設けており、加熱コイル４、５により内鍋１を誘導加熱するようにしている。誘導加熱時に、加熱コイル４、５からの漏れ磁界を炊飯器本体１の外部に漏れないように、加熱コイル５の外周側方にアルミニウム製の環状防磁金属材６を設置している。
【特許文献１】特公平４−３６００９号公報
【発明の開示】
【発明が解決しようとする課題】
【０００５】
しかしながら、このような従来の構成では、加熱コイル４、５の外周にアルミニウム製の環状防磁金属材６を配置するのにかなりのスペースを必要とし、製品を小型化することが難しくなるという問題を有し、また、アルミニウム材を環状にするのにコストがかかるといった問題があった。
【０００６】
本発明は上記従来の課題を解決するもので、コンパクトで安価に防磁構成を実現し、製品の省スペース化、コンパクト化を達成することを目的としている。
【課題を解決するための手段】
【０００７】
本発明は上記目的を達成するために、上面が開口した炊飯器本体内に内鍋を着脱自在に収納し、炊飯器本体内の内鍋を収納する保護枠の底部に内鍋の底面に沿う第１の加熱コイルおよび内鍋の側面下部に沿う第２の加熱コイルを設置し、インバータより第１および第２の加熱コイルに高周波電力を供給して内鍋を誘導加熱し、制御手段によりインバータを制御して炊飯時や保温時等の誘導加熱を制御し、非磁性体金属板により誘導加熱時に第１および第２の加熱コイルからの漏れ磁界が外部に漏れるのを防ぐよう構成し、非磁性体金属板は、第１および第２の加熱コイルに対面するように炊飯器本体の底面部に設置し、端面を第２の加熱コイルに沿う形に全周にわたって折り曲げ部を有しリング状に形成したものである。
【０００８】
これにより、第１および第２の加熱コイルより発生する電磁界をシールドすることで防磁することができ、コンパクトで安価に防磁構成を実現することができ、製品の省スペース化、コンパクト化を達成することができる。
【発明の効果】
【０００９】
本発明の炊飯器は、コンパクトで安価に防磁構成を実現することができ、製品の省スペース化、コンパクト化を達成することができる。
【発明を実施するための最良の形態】
【００１０】
第１の発明は、上面が開口した炊飯器本体と、前記炊飯器本体内に着脱自在に収納される内鍋と、前記炊飯器本体内の前記内鍋を収納する保護枠と、前記保護枠の底部に設置し前記内鍋の底面に沿う第１の加熱コイルおよび前記内鍋の側面下部に沿う第２の加熱コイルと、前記第１および第２の加熱コイルに高周波電力を供給して前記内鍋を誘導加熱するインバータと、前記インバータを制御して炊飯時や保温時等の誘導加熱を制御する制御手段と、誘導加熱時に前記第１および第２の加熱コイルからの漏れ磁界が外部に漏れるのを防ぐ非磁性体金属板とを備え、前記非磁性体金属板は、前記第１および第２の加熱コイルに対面するように前記炊飯器本体の底面部に設置し、端面を前記第２の加熱コイルに沿う形に全周にわたって折り曲げ部を有しリング状に形成したものであり、端面を第２の加熱コイルに沿う形に全周にわたって折り曲げ部を有するリング状に形成した非磁性体金属板により、第１および第２の加熱コイルより発生する電磁界をシールドすることで防磁することができ、コンパクトで安価に防磁構成を実現することができ、製品の省スペース化、コンパクト化を達成することができる。
【００１１】
第２の発明は、上記第１の発明において、非磁性体金属板は、端面を電磁界が強い部分のみ折り曲げる高さを高くしたものであり、電磁界が強い部分を端面の折り曲げる高さを高くすることでより強くシールドすることができ、所定の防磁性能を得ることができる。
【００１２】
第３の発明は、上記第１または第２の発明において、非磁性体金属板は、電磁界の強い部分に別の非磁性体金属板を配置したものであり、電磁界が強い部分を別の非磁性体金属板を配置することでより強くシールドすることができ、所定の防磁性能が得ることができる。
【００１３】
第４の発明は、上記第１〜３のいずれか１つの発明において、非磁性体金属板は、折り曲げ部に切り欠きを設けたものであり、非磁性体金属板に対する部品のあたりや干渉などを防ぐことができる。
【００１４】
第５の発明は、上記第１〜３のいずれか１つの発明において、非磁性体金属板は、折り曲げていない平面状の底部に切り欠きを設けたものであり、非磁性体金属板の平面状の底部に対する部品のあたりや干渉などを防ぐことができる。
【００１５】
第６の発明は、上記第１〜３のいずれか１つの発明において、非磁性体金属板は、炊飯器本体内部に水が入った場合に水がたまらないように水抜き用の穴を設けたものであり、炊飯器本体内部に水が入った場合でも、非磁性体金属板に水がたまって充電部に水が付着するのを防ぐことができ、安全性を向上することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における炊飯器の断面図を示し、図２は、同炊飯器の非磁性体金属板の斜視図を示し、図３は、同炊飯器の一部ブロック化した回路図を示すものである。
【００１８】
図１に示すように、内鍋１０は炊飯器本体１１内部の保護枠１２に収納されている。第１の加熱コイル１３は内鍋１０の底面に沿うような形で設けており、第２の加熱コイル１４は内鍋１０の側面下部に沿うような形で設けている。これら第１の加熱コイル１３および第２の加熱コイル１４により内鍋１０が誘導加熱される。炊飯器本体１１の底部に内鍋１０の底部の温度を測定するために底センサ１５を設置している。非磁性体金属板１６は
、アルミニウムで形成し、誘導加熱時、第１の加熱コイル１３および第２の加熱コイル１４からの漏れ磁界が炊飯器本体１１の外部に漏れないように、第１の加熱コイル１３および第２の加熱コイル１４に対面するように炊飯器本体１１の底面部に設置している。
【００１９】
この非磁性体金属板１６は、図２に示すように、端面を第２の加熱コイル１４に沿う形で全周にわたって折り曲げて折り曲げ部２６を形成し、平面状の底部２７の中心部に底センサ１５に当たらないように円状にくりぬいたくり抜き部２８を設けてリング状に形成している。
【００２０】
つぎに、図３に示すように、商用電源１７から供給された電圧をダイオードブリッジ１８によって整流し、平滑コンデンサ１９、共振コンデンサ２０、スイッチング素子２１、第１および第２の加熱コイル１３、１４よりなるインバータ２９により、誘導加熱のための高周波電力を発生させている。インバータ２９はドライブＩＣ２２とＩＨ制御用ＩＣ２３によって駆動している。サーミスタ２４は内鍋１０の温度を検知するもので、底センサ１５に内蔵されている。マイクロコンピュータ（制御手段）２５はサーミスタ２４等の様々な入力を基に、ＩＨ制御用ＩＣ２３を制御することにより内鍋１０を誘導加熱し、炊飯を行っている。
【００２１】
上記構成において動作を説明する。インバータ２９より発生された高周波電力により第１の加熱コイル１３および第２の加熱コイル１４から炊飯器本体１１の底部に発生した電磁界は、非磁性体金属板１６の平面状の底部２７に渦電流を発生させる。その渦電流から発生する電磁界は第１の加熱コイル１３および第２の加熱コイル１４から発生する電磁界とは逆方向に発生するので、結果的にお互いの電磁界で相殺して、炊飯器本体１１の外部に漏れる電磁界を低減することができる。また、同様にして、炊飯器本体１１の側面部に発生する電磁界は、非磁性体金属板１６の全周にわたっている折り曲げ部２６に電磁界によりループ状の渦電流を発生させる。その渦電流から発生する電磁界は第１の加熱コイル１３および第２の加熱コイル１４から発生する電磁界とは逆方向に発生するので、結果的にお互いの電磁界で相殺して、炊飯器本体１１の側面部から炊飯器本体１１の外部に漏れる電磁界を低減することができる。
【００２２】
非磁性体金属板１６は、単なる平らな金属板でなく、第２の加熱コイル１４に沿う形で全周にわたって折り曲げられていることにより、主に第２の加熱コイル１４から発生する側面部の電磁界に対してより有効に低減することができる。よって、このような形状により、炊飯器本体１１の底部に発生した電磁界は非磁性体金属板１６の平面状の底部２７によって主にシールドし、炊飯器本体１１の側面部に発生した電磁界は非磁性体金属板１６の全周にわたっての折り曲げ部２６でシールドすることができる。
【００２３】
以上のように、本実施の形態においては、非磁性体金属板１６は、第１の加熱コイル１３および第２の加熱コイル１４に対面するように炊飯器本体１１の底面部に設置し、端面を第２の加熱コイル１４に沿う形に全周にわたって折り曲げ部２６を有しリング状に形成したので、第１の加熱コイル１３および第２の加熱コイル１４より発生する電磁界をシールドすることで防磁することができ、コンパクトで安価に防磁構成を実現することができ、製品の省スペース化、コンパクト化を達成することができる。
【００２４】
なお、本実施の形態では、非磁性体金属板１６の材料はアルミニウムを使用したが、非磁性体金属であれば他の材料でもよいことはいうまでもない。
【００２５】
（実施の形態２）
図４は、本発明の実施の形態２における炊飯器の非磁性体金属板の斜視図を示すものである。
【００２６】
図４に示すように、非磁性体金属板１６ａは、端面を第２の加熱コイル１４に沿う形で全周にわたって折り曲げて折り曲げ部２６ａを形成し、平面状の底部２７ａの中心部に底センサ１５に当たらないように円状にくりぬいたくり抜き部２８ａを設けてリング状に形成し、さらに、電磁界が強い部分の端面の折り曲げ高さを高くした延設部３０を設けている。この非磁性体金属板１６ａは、第１の加熱コイル１３および第２の加熱コイル１４に対面するように炊飯器本体１１の底面部に設置する。他の構成は上記実施の形態１と同じである。
【００２７】
上記構成において作用を説明する。折り曲げ高さを高くした延設部３０は電磁界が強い部分であり、電磁界が強い部分を非磁性体金属板１６ａの端面の折り曲げ高さを高くすることでより強くシールドすることができ、所定の防磁性能を得ることができる。
【００２８】
以上のように、本実施の形態においては、非磁性体金属板１６ａは、端面を電磁界が強い部分のみ折り曲げる高さを高くした延設部３０を設けているので、電磁界が強い部分を端面の折り曲げる高さを高くすることでより強くシールドすることができ、所定の防磁性能を得ることができる。
【００２９】
（実施の形態３）
図５は、本発明の実施の形態３における炊飯器の非磁性体金属板の斜視図を示すものである。
【００３０】
図５に示すように、非磁性体金属板１６ｂは、端面を第２の加熱コイル１４に沿う形で全周にわたって折り曲げて折り曲げ部２６ｂを形成し、平面状の底部２７ｂの中心部に底センサ１５に当たらないように円状にくりぬいたくり抜き部２８ｂを設けてリング状に形成し、さらに、電磁界が強い部分に別の非磁性体金属板３１を配置している。この非磁性体金属板１６ｂは、第１の加熱コイル１３および第２の加熱コイル１４に対面するように炊飯器本体１１の底面部に設置する。他の構成は上記実施の形態１と同じである。
【００３１】
上記構成において作用を説明する。非磁性体金属板１６ｂに加えて、電磁界の強い部分に別の非磁性体金属板３１を配置することにより、電磁界が強い部分をより強くシールドすることができ、所定の防磁性能を得ることができる。
【００３２】
以上のように、本実施の形態においては、非磁性体金属板１６ｂは、電磁界の強い部分に別の非磁性体金属板３１を配置したので、電磁界が強い部分をより強くシールドすることができ、所定の防磁性能が得ることができる。
【００３３】
（実施の形態４）
図６は、本発明の実施の形態４における炊飯器の非磁性体金属板の斜視図を示すものである。
【００３４】
図６に示すように、非磁性体金属板１６ｃは、端面を第２の加熱コイル１４に沿う形で全周にわたって折り曲げて折り曲げ部２６ｃを形成し、平面状の底部２７ｃの中心部に底センサ１５に当たらないように円状にくりぬいたくり抜き部２８ｃを設けてリング状に形成し、さらに、折り曲げ部２６ｃに切り欠き３２を設けている。この非磁性体金属板１６ｃは、第１の加熱コイル１３および第２の加熱コイル１４に対面するように炊飯器本体１１の底面部に設置する。他の構成は上記実施の形態１と同じである。
【００３５】
上記構成において作用を説明する。非磁性体金属板１６ｃを設置した箇所の非磁性体金属板１６ｃに対する部品のあたりや干渉などを切り欠き３２によって逃げることができる
。
【００３６】
以上のように、本実施の形態においては、非磁性体金属板１６ｃは、折り曲げ部に２６ｃ切り欠き３２を設けたので、非磁性体金属板１６ｃに対する部品のあたりや干渉などを防ぐことができる。
【００３７】
（実施の形態５）
図７は、本発明の実施の形態５における炊飯器の非磁性体金属板の斜視図を示すものである。
【００３８】
図７に示すように、非磁性体金属板１６ｄは、端面を第２の加熱コイル１４に沿う形で全周にわたって折り曲げて折り曲げ部２６ｄを形成し、平面状の底部２７ｄの中心部に底センサ１５に当たらないように円状にくりぬいたくり抜き部２８ｄを設けてリング状に形成し、さらに、折り曲げていない平面状の底部２７ｄに複数の切り欠き３３を設けている。この非磁性体金属板１６ｄは、第１の加熱コイル１３および第２の加熱コイル１４に対面するように炊飯器本体１１の底面部に設置する。他の構成は上記実施の形態１と同じである。
【００３９】
上記構成において作用を説明する。非磁性体金属板１６ｄを設置している炊飯器本体１１の底面部においての非磁性体金属板１６ｄに対する部品のあたりや干渉などを切り欠き３３によって逃げることができる。
【００４０】
以上のように、本実施の形態においては、非磁性体金属板１６ｄは、折り曲げていない平面状の底部２７ｄに切り欠き３３を設けたので、非磁性体金属板１６ｄの平面状の底部２７ｄに対する部品のあたりや干渉などを防ぐことができる。
【００４１】
（実施の形態６）
図８は、本発明の実施の形態６における炊飯器の非磁性体金属板の斜視図を示すものである。
【００４２】
図８に示すように、非磁性体金属板１６ｅは、端面を第２の加熱コイル１４に沿う形で全周にわたって折り曲げて折り曲げ部２６ｅを形成し、平面状の底部２７ｅの中心部に底センサ１５に当たらないように円状にくりぬいたくり抜き部２８ｅを設けてリング状に形成し、さらに、非磁性体金属板１６ｅに水がたまらないように複数の水抜き用の穴３４を設けている。この非磁性体金属板１６ｅは、第１の加熱コイル１３および第２の加熱コイル１４に対面するように炊飯器本体１１の底面部に設置する。他の構成は上記実施の形態１と同じである。
【００４３】
上記構成において作用を説明する。誤って炊飯器本体１１の内部に水が入った場合に、非磁性体金属板１６ｅに水が入っても水抜き用の穴３４から水が抜けていくので、非磁性体金属板１６ｅに水がたまって、充電部に水が付着するのを防ぐことができる。
【００４４】
以上のように、本実施の形態においては、非磁性体金属板１６ｅは、炊飯器本体１１の内部に水が入った場合に水がたまらないように水抜き用の穴３４を設けたので、炊飯器本体１１の内部に水が入った場合でも、非磁性体金属板１６ｅに水がたまって充電部に水が付着するのを防ぐことができ、安全性を向上することができる。
【産業上の利用可能性】
【００４５】
以上のように、本発明にかかる炊飯器は、コンパクトで安価に防磁構成を実現することができ、製品の省スペース化、コンパクト化を達成することができるので、加熱コイルに
より内鍋を誘導加熱するようにした炊飯器として有用である。
【図面の簡単な説明】
【００４６】
【図１】本発明の実施の形態１における炊飯器の断面図
【図２】同炊飯器の非磁性体金属板の斜視図
【図３】同炊飯器の一部ブロック化した回路図
【図４】本発明の実施の形態２における炊飯器の非磁性体金属板の斜視図
【図５】本発明の実施の形態３における炊飯器の非磁性体金属板の斜視図
【図６】本発明の実施の形態４における炊飯器の非磁性体金属板の斜視図
【図７】本発明の実施の形態５における炊飯器の非磁性体金属板の斜視図
【図８】本発明の実施の形態６における炊飯器の非磁性体金属板の斜視図
【図９】従来の炊飯器の断面図
【符号の説明】
【００４７】
１０  内鍋
１１  炊飯器本体
１２  保護枠
１３  第１の加熱コイル
１４  第２の加熱コイル
１６  非磁性体金属板
２５  マイクロコンピュータ（制御手段）
２６  折り曲げ部
２９  インバータ
【図１】
2010240051.tif 000003
【図２】
2010240051.tif 000004
【図３】
2010240051.tif 000005
【図４】
2010240051.tif 000006
【図５】
2010240051.tif 000007
【図６】
2010240051.tif 000008
【図７】
2010240051.tif 000009
【図８】
2010240051.tif 000010
【図９】
2010240051.tif 000011